(57)【要約】【課題】  円板体検出装置を不正に作動させて円板体の投入枚数を不正に増加させるのを防止可能なスロットマシンを提供する。【解決手段】  本発明では、発光制御部１６０が、電圧が経時変化する駆動信号を出力する信号出力部１６１と、信号出力部１６１から出力された駆動信号に対し変調を行い発光指令信号として出力するＰＷＭ回路１６２と、ＰＷＭ回路１６２から出力された発光指令信号に応じて発光部１４２への電力供給をオン・オフさせるスイッチ用トランジスタ１６３とを有して構成される。【選択図】  図８
2006075384.tif 000002
【特許請求の範囲】
【請求項１】
円板体が投入される円板体投入部と、前記円板体投入部に投入された前記円板体の検出を行う円板体検出装置とを備え、前記円板体検出装置が前記円板体を検出したときに遊技を行うことができるように構成された遊技機において、
前記円板体検出装置が、検出光を発光する発光部と、前記発光部から発光された前記検出光の検出を行う受光部とを有し、前記受光部が前記検出光を検出したか否かによって前記円板体を検出するように構成されており、
前記円板体検出装置を作動させるための電力を供給する電源供給部と、
前記電源供給部から前記発光部への通電を交互連続的にオン・オフさせる発光制御部と、
前記発光制御部により前記発光部への電力供給がオフ状態にされているときに、前記受光部が前記検出光を検出すると前記遊技機による遊技を規制する制御を行う遊技規制部とを備え、
前記発光制御部は、電圧が経時変化する駆動信号を出力する信号出力部と、
前記信号出力部から出力された前記駆動信号に対し変調を行い発光指令信号として出力する変調器と、
前記変調器から出力された前記発光指令信号に応じて前記発光部への電力供給をオン・オフさせる発光駆動部とを有して構成されることを特徴とする遊技機。
【請求項２】
前記円板体投入部に投入された前記円板体が所定の有効円板体である場合には前記円板体を前記遊技機の内部と繋がる円板体案内通路に通過させ、前記円板体投入部に投入された前記円板体が前記有効円板体と異なる無効円板体である場合には前記円板体による前記円板体案内通路の通過を規制するように構成された円板体選別装置を備え、
前記円板体検出装置が前記円板体案内通路に設けられていることを特徴とする請求項１に記載の遊技機。
【請求項３】
前記発光制御部により前記発光部への電力供給がオフ状態にされているときに、前記受光部が前記検出光を検出すると警報手段により警報作動を行わせる制御を前記遊技規制部が行うことを特徴とする請求項１もしくは請求項２に記載の遊技機。
【発明の詳細な説明】
【技術分野】
【０００１】
本発明は、遊技メダル等の円板体を投入して遊技を行う遊技機、特にスロットマシン（回胴式遊技機）に関する。
【背景技術】
【０００２】
スロットマシンは、所定の図柄を表示した複数のリールと、各リールを始動・停止させるために遊技者が操作する操作部とを備えて構成されており、遊技者がこの操作部を操作することで所定の遊技が行われる。操作部には、遊技メダル等の円板体を投入するための円板体投入部や、ゲームの開始を指示するためのスタートレバー、回転中のリールを停止させるためのストップボタン等が設けられる。また、スロットマシンの内部には、円板体投入部に投入された円板体が所定の有効円板体であるか否かを選別する円板体選別装置が設けられている。
【０００３】
円板体選別装置は、矩形状のメインプレートと、メインプレートの略上方を覆うゲートプレートとを主体に構成され、円板体選別装置内には円板体を案内する円板体案内通路が設けられる（例えば、特許文献１を参照）。この円板体案内通路は、ゲートプレートおよびメインプレートに突設された各突起物によって形成される。また、円板体案内通路の通路幅及び通路高さは、前述の各突起物によって規制されており、有効円板体の外径と略同一に設定されている。そして、円板体選別装置は、投入された円板体が円板体案内通路を通過する際に、円板体の真偽を判別し、選別する。
【０００４】
このとき、円板体投入部に投入された円板体が有効円板体である場合には、この円板体は円板体案内通路を通過して円板体選別装置の側方へ排出され、円板体選別装置の側方に設けられたガイド部材に案内されてスロットマシン内のホッパーユニットに収容される。一方、円板体投入部に投入された円板体が無効円板体である場合には、この円板体は円板体選別装置の下方へ排出されてスロットマシンの下部前面側に配設された払出口からスロットマシンの外部へ排出される。
【０００５】
また、円板体選別装置にはソレノイドにより駆動されるブロッカー装置が設けられており、このブロッカー部材が作動すると、円板体投入部に投入された円板体が全て円板体選別装置の下方へ排出されて払出口からスロットマシンの外部へ排出されるようになっている。さらに、円板体案内通路の下流部には円板体検出装置が設けられており、円板体案内通路を通過する円板体を検出するようになっている。
【０００６】
円板体検出装置は、例えば、円板体案内通路に沿って並ぶ２つの反射型ビームセンサから構成され、円板体投入部に近い方から順にセンサが検出状態になると、制御部において円板体が円板体案内通路（検出部）を通過したと認識されるようになっている。そして、円板体が円板体投入部に投入され、上述のように円板体検出装置により円板体案内通路を通過する円板体が検出されると、制御部において（有効）円板体が円板体投入部に投入されたと認識され、遊技者はスロットマシンによる遊技を行うことが可能となる。
【特許文献１】特開２００１−１５５２２３号公報
【発明の開示】
【発明が解決しようとする課題】
【０００７】
上述のように、ブロッカー装置の作動時には、円板体投入部に投入された円板体が全てスロットマシンの外部へ排出されるようになっている。ところが、従来のスロットマシンにおいては、ブロッカー装置の作動時に、円板体検出装置が円板体や不正装置等を検出しても、円板体検出装置による（不正装置等の）検出に対する判断を何ら制御部で行っていなかった。そのため、例えば、遊技中（リールの回転中）といったブロッカー装置の作動時（円板体受入非許容時）に、不正装置を（円板体投入部から）円板体検出装置へ挿入しておき、遊技終了後におけるブロッカー装置の非作動時（円板体受入許容時）に、不正装置に設けられた発光体を円板体検出装置の受光部で点滅させることにより、円板体検出装置を不正に作動させて円板体の投入枚数を不正に増加させるという不正行為が多発していた。
【０００８】
本発明は、このような問題に鑑みてなされたものであり、円板体検出装置を不正に作動させて円板体の投入枚数を不正に増加させるのを防止可能な遊技機（スロットマシン）を提供することを目的とする。
【課題を解決するための手段】
【０００９】
このような目的達成のため、本発明では、円板体（例えば、実施形態における遊技メダル）が投入される円板体投入部（例えば、実施形態におけるメダル投入部３８）と、円板体投入部に投入された円板体の検出を行う円板体検出装置とを備え、円板体検出装置が円板体を検出したときに遊技を行うことができるように構成された遊技機（例えば、実施形態におけるスロットマシン１）において、円板体検出装置が、検出光を発光する発光部と、発光部から発光された検出光の検出を行う受光部とを有し、受光部が検出光を検出したか否かによって円板体を検出するように構成されており、円板体検出装置を作動させるための電力を供給する電源供給部と、電源供給部から発光部への通電を交互連続的にオン・オフさせる発光制御部と、発光制御部により発光部への電力供給がオフ状態にされているときに、受光部が検出光を検出すると遊技機による遊技を規制する制御を行う遊技規制部（例えば、実施形態における主基板６０）とを備えて構成される。
【００１０】
そして、発光制御部は、電圧が経時変化する駆動信号を出力する信号出力部と、信号出力部から出力された駆動信号に対し変調を行い発光指令信号として出力する変調器（例えば、実施形態におけるＰＷＭ回路１６２）と、変調器から出力された発光指令信号に応じて発光部への電力供給をオン・オフさせる発光駆動部（例えば、実施形態におけるスイッチ用トランジスタ１６３）とを有して構成される。
【００１１】
また、上述の発明において、円板体投入部に投入された円板体が所定の有効円板体である場合にはこの円板体を遊技機の内部と繋がる円板体案内通路に通過させ、円板体投入部に投入された円板体が有効円板体と異なる無効円板体である場合にはこの円板体による円板体案内通路の通過を規制するように構成された円板体選別装置（例えば、実施形態におけるメダルセレクタ１００）を備え、円板体検出装置が円板体案内通路に設けられていることが好ましい。
【００１２】
さらに、上述の発明において、発光制御部により発光部への電力供給がオフ状態にされているときに、受光部が検出光を検出すると警報手段（例えば、実施形態における上下のスピーカ３２ａ，３２ｂ，４５）により警報作動を行わせる制御を遊技規制部が行うことが好ましい。
【発明の効果】
【００１３】
本発明によれば、発光制御部により発光部への電力供給がオフ状態にされているときに、受光部が検出光を検出すると遊技機による遊技を規制する制御を遊技規制部が行うため、不正装置の発光体を点滅させて円板体検出装置を不正に作動させようとしても、円板体検出装置の発光部が消灯している間に、受光部が不正装置による偽発光を検出して遊技機による遊技を規制することができることから、円板体検出装置を不正に作動させて円板体の投入枚数を不正に増加させるのを防止することができる。さらに、変調器から出力された発光指令信号に応じて発光駆動部が発光部への電力供給をオン・オフさせるため、発光部による発光の周期を不正装置による発光の周期とずらすことが可能となり、不正装置による偽発光をより確実に検出することができる。
【００１４】
また、円板体選別装置の円板体案内通路に円板体検出装置が設けられることで、有効円板体と異なる無効円板体が円板体検出装置に（有効円板体として）検出されるのを防止することができる。
【００１５】
さらに、発光制御部により発光部への電力供給がオフ状態にされているときに、受光部が検出光を検出すると警報手段により警報作動を行わせる制御を遊技規制部が行うことで、管理者が不正行為を容易に認識することができる。
【発明を実施するための最良の形態】
【００１６】
以下、本発明の好ましい実施形態について図面を参照しながら説明する。本発明に係るスロットマシン１（遊技機）を図１および図２に示しており、まず、スロットマシン１の全体構成について図１および図２を参照しながら要約説明する。ここで、図１は本発明に係るスロットマシン１を示す正面図、図２はスロットマシン１におけるフロントドア３を取り外した状態を示す正面図である。
【００１７】
スロットマシン１は、前面側に開口を有する箱状の筐体２と、この開口を開閉自在に覆って取り付けられるフロントドア３とから構成される。フロントドア３は、筐体２およびフロントドア３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１８】
筐体２の内部には、図２に示すように、円筒外周面に沿って多種の図柄が設けられた回転可能な三つのリール２１ａ，２１ｂ，２１ｃを備えるリールユニット２２と、遊技メダルの払出を行うホッパーユニット２３と、ホッパーユニット２３から溢れた遊技メダルを収容するための補助貯留部２４と、スロットマシン1の作動を統括的に制御する主基板６０と、遊技場のホールコンピュータ（図示せず）と電気的に接続される外部集中端子基板６５と、リールユニット２２やホッパーユニット２３、主基板６０等の構成機器に電力を供給する電源ユニット２５とが配設される。
【００１９】
フロントドア３の上部には、図１に示すように、上部演出用ランプ３１と、左右の上部スピーカ３２ａ，３２ｂと、液晶ディスプレイ等で構成された演出表示装置３３とが配設される。また、図２に示すように、フロントドア３の上部裏面側にはサブ制御基板７０が配設されており、図示しないワイヤーハーネスで筐体２側の主基板６０と電気的に接続されている。
【００２０】
フロントドア３の中間部には、三つのリール２１ａ，２１ｂ，２１ｃと位置整合して透視窓３４が配設されており、三つのリールの所定範囲を機体正面に臨ませている。また、図１に示すように、透視窓３４の側方には左右の演出用ランプ３６ａ，３６ｂが配設されている。さらに、透視窓３４の下方には遊技者が操作するための操作部３７が設けられ、この操作部３７には、遊技メダルを投入するためのメダル投入部３８と、１ゲーム当たりのメダル数を設定するためのベットボタン３９ａ，３９ｂ，３９ｃと、１ゲームの開始を指示するためのスタートレバー４０と、回転中のリール２１ａ，２１ｂ，２１ｃを個別に停止させるための三つのストップボタン４１ａ，４１ｂ，４１ｃと、遊技メダルの返却ボタン４２とが配設される。
【００２１】
フロントドア３の下部には、フロントドア３の裏面側に設けられた第３ガイド部材４７ｃと位置整合してメダル払出口４３が設けられるとともに、その下部に受け皿４４が設けられており、さらにメダル払出口４３の近傍に下部スピーカ４５が配設されている。また、図２に示すように、フロントドア３の下部裏面側には、メダル投入部３９より投入される投入物を正規の（有効な）遊技メダルか否か選別して振り分けるメダルセレクタ１００、メダルセレクタ１００で振り分けられた正規の遊技メダルを筐体２側に設けられているホッパーユニット２３へ案内する第１ガイド部材４７ａ、メダルセレクタ１００で振り分けられた無効のメダル等をメダル払出口４３へ案内して排出する第２ガイド部材４７ｂ、ホッパーユニット２３から払い出される払い出し用のメダルをメダル払出口４３へ案内して出力する第３ガイド部材４７ｃ等が設けられている。
【００２２】
さらに、メダルセレクタ１００の上方に位置して長尺状の中央表示基板７５が配設されており、この中央表示基板７５の裏面側の一端には、設定ボタン４８と、数字の０から６までのセグメント表示を行う発光ダイオードで形成された設定表示素子４９とが設けられている。さらに、図１に示すように、中央表示基板７５の前面側には、スロットマシン１にストックされた遊技メダルの枚数を表示する貯留枚数表示部５１と、役の当選回数を表示する回数表示部５２と、入賞時に払い出される遊技メダルの枚数を表示する払出枚数表示部５３とが前面側から視認可能に設けられている。
【００２３】
このようなスロットマシン１で遊技を行うには、まず、遊技者がメダル投入部３８に遊技メダルを投入して各ベットボタン３９ａ，３９ｂ，３９ｃのいずれか一つを操作し、スタートレバー４０を操作すると三つのリール２１ａ，２１ｂ，２１ｃが回転起動する。次に、遊技者は回転している三つのリール２１ａ，２１ｂ，２１ｃを任意に選択し、所望の順序及びタイミングで各ストップボタン４１ａ，４１ｂ，４１ｃを操作して、三つのリール２１ａ，２１ｂ，２１ｃを停止させる。
【００２４】
回転していた三つのリール２１ａ，２１ｂ，２１ｃが全て停止すると、入賞図柄の判定、すなわち当たりかはずれかの判定が行われ、図柄の組み合わせが予め定められた入賞図柄の組み合わせに該当するときには、ホッパーユニット２３より所定枚数の遊技メダルが払い出される。このように本スロットマシン１で遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００２５】
次に、メダルセレクタ１００について図３〜図６を参照しながら説明する。ここで、図３はメダルセレクタ１００の正面図（部分断面図）、図４は図３中の矢印IVに沿った矢視図、図５は図３中の矢印V−Vに沿った断面図、そして図６は図３中の矢印VI−VIに沿った断面図である。
【００２６】
メダルセレクタ１００は、図３に示すように、プラスチック等の合成樹脂で形成された矩形状のメインプレート１０２と、このメインプレート１０２の略上方を開閉自在に覆うステンレス等の金属板により形成されたゲートプレート１０３と、前記メインプレート１０２の略下方を開閉自在に覆うカバープレート１０４とから構成される。ゲートプレート１０３は、その右側方に配設された軸１０５を介してメインプレート１０２に対し揺動自在に枢結されており、軸１０５に巻回されたコイルバネ１０６の付勢力により常時はメインプレート１０２の上方を覆い、このゲートプレート１０３とメインプレート１０２との間に後述する円板体案内通路を形成している。
【００２７】
メインプレート１０２の表面側には、上端がメダル投入部３８に連通するとともに下端が下方へ向け延設された第１円板体案内通路１１０と、この第１円板体案内通路１１０の下端に連通するとともに図３における右下方へ向けて直線状に延設された第２円板体案内通路１１１が形成され、メインプレート１０２の表面側は第１および第２円板体案内通路１１０，１１１の一方の側壁を構成している。なお、第１および第２円板体案内通路１１０，１１１を構成する他方の側壁の一部は、ゲートプレート１０３の裏面側により形成されている。また、図５および図６にも示すように、ゲートプレート１０３の下端には、第２円板体案内通路１１１に沿い、メインプレート１０２側へ折り曲げられた直線状のリブからなる一本の傾斜転送レール１０３ａが形成されている。
【００２８】
第２円板体案内通路１１１の左上部には、第２円板体案内通路１１１内を通過する遊技メダルをその外径の差異により選別する円板体選別手段１１２の主要部が設けられている。この円板体選別手段１１２は、図３および図５に示すように、第２円板体案内通路１１１の一方の側壁を構成するゲートプレート１０３に設けられ、傾斜転送レール１０３ａから上縁１０３ｂまでの高さＬが正規の遊技メダルの外径よりも若干低く形成された切り欠１０３ｃと、この切り欠１０３ｃが形成される側壁（ゲートプレート１０３）に対し外側へ傾斜した傾斜壁１０３ｄとから構成されている。
【００２９】
また、第１円板体案内通路１１０の下端には、上述した円板体選別手段１１２の一部を構成し、第１円板体案内通路１１０を通過する遊技メダルを切り欠１０３ｃの傾斜壁１０３ｄ側へ常時押し付ける円板体押付けレバー１１４が配設されている。この円板体押付けレバー１１４は、図５に示すように、メインプレート１０２に対して第１および第２円板体案内通路１１０，１１１の延設方向と垂直な方向へ揺動自在に取り付けられており、図示しないバネ等の付勢手段により常には下端が第１円板体案内通路１１０内に突出するようになっている。さらに、円板体押付けレバー１１４の上方に位置するメインプレート１０２表面には、第１および第２円板体案内通路１１０，１１１を通過可能な遊技メダルの板厚を規制するシックネススクリユー（図示せず）が配設されている。
【００３０】
第２円板体案内通路１１１の中央部には、円板体選別手段１１２を介し選別されて第２円板体案内通路１１１を通過する遊技メダルを該円板体案内通路１１１から強制的に排除するブロッカー装置１２０が配設されている。ブロッカー装置１２０は、図６に示すように、メインプレート１０２に固着されたＬ字形状金具１２１の先端部に、第２円板体案内通路１１１の延設方向と垂直な方向へ揺動自在に取り付けられた円板体排除レバー１２３と、この円板体排除レバー１２３と対向するように設けられた円板体案内レバー１３０とを備えて構成される。
【００３１】
円板体排除レバー１２３は、図６に示すように、その上端１２３ａとＬ字形状金具１２１の突起１２１ａとの間を連結する引張コイルバネ１２４の付勢力を受けて、（円板体排除レバー１２３の）下端１２３ｂを第２円板体案内通路１１１内へ突出させるようになっている。
【００３２】
また、Ｌ字形状金具１２１には、主基板６０（中央表示基板７５）からの駆動信号に基づいてオン・オフ作動し、円板体排除レバー１２３を第２円板体案内通路１１１内から待避させる待避手段であるソレノイド１２５が固着されており、このソレノイド１２５がオン作動すると、その磁力によりソレノイド１２５は円板体排除レバー１２３を引張コイルバネ１２４の付勢力に抗して吸着し、円板体排除レバー１２３をメインプレート１０２側へ揺動させて、その下端１２３ｂを第２円板体案内通路１１１内から待避させるようになっている。
【００３３】
円板体案内レバー１３０は、ゲートプレート１０３に軸１３１を介して揺動自在に枢結され、またこの軸１３１に嵌挿したねじりコイルバネ１３２の付勢力を受けて、その下端は常時第２円板体案内通路１１１へ向けて付勢されている。また、この円板体案内レバー１３０の下端には、第２円板体案内通路１１１の延設方向に沿ってガイドバー１３０ｂが延設されており、第２円板体案内通路１１１の側壁の一部を形成可能に構成されている。また、円板体案内レバー１３０における円板体排除レバー１２３と対向する面には、図６に示すように、円板体排除レバー１２３に当接する当接ピン１３３と、メインプレート１０２に当接可能な位置決めピン１３４とが形成されている。
【００３４】
そして、図３で示すように、ソレノイド１２５をオフ作動させて、円板体排除レバー１２３の下端１２３ｂを第２円板体案内通路１１１内へ突出させると、円板体案内レバー１３０は、当接ピン１３３を介して、円板体排除レバー１２３と連動して第２円板体案内通路１１１の外側へ揺動し、第２円板体案内通路１１１の側方を解放するようになっている。一方、ソレノイド１２５をオン作動させて、円板体排除レバー１２３の下端１２３ｂを第２円板体案内通路１１１内から待避させると、円板体案内レバー１３０は、ねじりコイルバネ１３２の付勢力により第２円板体案内通路１１１へ向けて揺動し、第２円板体案内通路１１１の側壁の一部を構成するようになっている。なおこのとき、円板体案内レバー１３０の位置決めピン１３４がメインプレート１０２に当接し、それにより第２円板体案内通路１１１の通路幅に合わせられるようになっている。
【００３５】
第２円板体案内通路１１１の右下部には、円板体検出装置１４０が設けられており、（ブロッカー装置１２０を過ぎて）第２円板体案内通路１１１の下流部（右下部）を通過する遊技メダルを検出するようになっている。この円板体検出装置１４０は、図３に示すように、第２円板体案内通路１１１に沿って並ぶ第１および第２円板体検出センサ１４１，１４６から構成され、第２円板体案内通路１１１の上流側、すなわちメダル投入部３８に近い方から順にセンサが遊技メダルを検出すると（すなわち、第１および第２円板体検出センサ１４１，１４６が順に遊技メダルを検出すると）、制御部（主基板６０）において遊技メダルが第２円板体案内通路１１１（センサの検出部）を通過したと認識されるようになっている。
【００３６】
第１円板体検出センサ１４１は、検出光を発光する発光部１４２と、発光部１４２から発光された検出光の検出を行う受光部１４３とを有する反射型ビームセンサであり、遊技メダルで反射した検出光を受光部１４３で検出することにより、第２円板体案内通路１１１（センサの検出部）を通過する遊技メダルを検出するようになっている。また、第２円板体検出センサ１４６は、第１円板体検出センサ１４１と同様に発光部１４７および受光部１４８を有する反射型ビームセンサであり、第１円板体検出センサ１４１の右方に（下流側）に隣接して配設されるようになっている。
【００３７】
また、図３に示すように、ゲートプレート１０３の上部にはスイングレバー１６２が揺動自在に取り付けられており、第１円板体案内通路１１０内を落下する遊技メダルがスイングレバー１６２の下端部に当接することで、第１円板体案内通路１１０内を落下する遊技メダルの落下速度が緩和されるようになっている。なお、スイングレバー１６２は、バネ１６３の付勢力を受けて、その下端部が常時第１円板体案内通路１１０内に突出するようになっている。
【００３８】
また、図４に示すように、ゲートプレート１０３の上端部近傍には返却ボタン当接部１７０が設けられており、返却ボタン４２が押し操作されて、返却ボタン４２の押圧部４２ａが返却ボタン当接部１７０に当接すると、ゲートプレート１０３がコイルバネ１０６の付勢力に抗して揺動し、メインプレート１０２に対して拡開するようになっている。
【００３９】
以上のように構成されるメダルセレクタ１００において、正規の遊技メダル（有効円板体）の外径よりも外径が大きい無効円板体がメダル投入部３８に投入されると、当該無効円板体は、第１円板体案内通路１１０の上部開口１１０ａを通過して第１円板体案内通路１１０内に達するが、ゲートプレート１０３の背面からメインプレート１０２側に突設された一対の外径規制爪（図示せず）間に係合し、このため有効円板体の外径よりも外径が大きい無効円板体は第１円板体案内通路１１０内下方への落下が阻止される。なお、この一対の外径規制爪（図示せず）間の距離は正規の遊技メダル（有効円板体）の外径よりも若干広く設定されている。
【００４０】
また、有効円板体の外径よりも外径は小さいが、その板厚が有効円板体の板厚よりも厚い無効円板体がメダル投入部３８に投入されると、その（板厚の厚い）無効円板体は、第１円板体案内通路１１０の上部開口１１０ａを通過して第１円板体案内通路１１０内に達するが、シックネススクリユー（図示せず）と当接し、このため第１円板体案内通路１１０内下方への落下が阻止される。
【００４１】
なお、第１円板体案内通路１１０の上流でその落下が阻止された無効円板体Ｍ２（図４を参照）は、図４に示すように、返却ボタン４２を押し操作してゲートプレート１０３を拡開させることにより、メダルセレクタ１００の下方へ落下して排除され、メダルセレクタ１００の下方へ落下した無効円板体は第２ガイド部材４７ｂ（図２を参照）に案内されてメダル払出口４３から受け皿４４へ払い出される（すなわち、スロットマシン１の外部へ排出される）。
【００４２】
また、有効円板体よりも外径が小さく、しかも板厚も有効円板体と同じかそれより薄い無効円板体Ｍ１（図５を参照）がメダル投入部３８に投入されると、この（有効円板体よりも外径が小さい）無効円板体Ｍ１は、第１円板体案内通路１１０の上部開口１１０ａを通過して第１円板体案内通路１１０内に達し、一対の外径規制爪およびシックネススクリユーを通過して、その後、スイングレバー１６２の下端部に当接し、落下速度が緩和された状態で第１の円板体案内通路１１０の下流側へ案内される。
【００４３】
その後、無効円板体Ｍ１は円板体押付けレバー１１４と当接し、円板体押付けレバー１１４を付勢手段（図示せず）の付勢力に抗して第１円板体案内通路１１０から待避させるように揺動させ、これにより円板体押付けレバー１１４とゲートプレート１０３との間を通過する。円板体押付けレバー１１４とゲートプレート１０３との間を通過する間、無効円板体Ｍ１には円板体押付けレバー１１４によりゲートプレート１０３側に押付けられる付勢力が常時作用するので、その付勢力により無効円板体Ｍ１の各種方向への暴れが可及的に阻止され、そのため無効円板体Ｍ１は常に一定の姿勢に制御されて第２円板体案内通路１１１の始端側（左上部）へ案内される。
【００４４】
無効円板体Ｍ１が第２円板体案内通路１１１の始端側（左上部）に到達すると、その外径の下端が一本の傾斜転送レール１０３ａに当接し、またその外径の上端が切り欠１０３ｃの上縁１０３ｂ以下の位置に到達する。このように、無効円板体Ｍ１の外径の上端が切り欠１０３ｃの上縁１０３ｂ以下の位置に到達すると、当該無効円板体Ｍ１の側部に円板体押付けレバー１１４による付勢力が常時作用するので、当該無効円板体Ｍ１は、図５に示すように、切り欠１０３ｃを介し傾斜壁１０３ｄ側へ倒れてその姿勢を変更する。
【００４５】
図５に示すように、無効円板体Ｍ１が切り欠１０３ｃを介し傾斜壁１０３ｄ側へ倒れてその姿勢を変更すると、その外径の下端が傾斜転送レール１０３ａから脱落し、このため無効円板体Ｍ１は傾斜転送レール１０３ａの側部に沿って形成されたスリット１０２ｃからメダルセレクタ１００の下方へ落下して排除され、選別される。なお、メダルセレクタ１００の下方へ落下した無効円板体Ｍ１は、第２ガイド部材４７ｂ（図２を参照）に案内されてメダル払出口４３から受け皿４４へ払い出される（すなわち、スロットマシン１の外部へ排出される）。
【００４６】
そして、正規の遊技メダルである有効円板体Ｍ０（図３を参照）がメダル投入部３８に投入されると、図３に示すように、この有効円板体Ｍ０は、第１円板体案内通路１１０の上部開口１１０ａを通過して第１円板体案内通路１１０内に達し、一対の外径規制爪（図示せず）およびシックネススクリユーを通過して、その後、スイングレバー１６２の下端部に当接し、落下速度が緩和された状態で第１の円板体案内通路１１０の下流側へ案内される。
【００４７】
その際、有効円板体Ｍ０には円板体押付けレバー１１４によりゲートプレート１０３側に押付けられる付勢力が常時作用するので、その付勢力により有効円板体Ｍ０の各種方向への暴れが可及的に阻止され、そのため有効円板体Ｍ０は常に一定の姿勢に制御されて第２円板体案内通路１１１の始端側（左上部）へ案内される。有効円板体Ｍ０が第２円板体案内通路１１１の始端側（左上部）に到達すると、その外径の下端が一本の傾斜転送レール１０３ａに当接し、またその外径の上端が切り欠１０３ｃの上縁１０３ｂ以上に当接する。
【００４８】
このように、有効円板体Ｍ０の外径の上端が切り欠１０３ｃの上縁１０３ｂ以上に当接すると、有効円板体Ｍ０は切り欠１０３ｃ側へ倒れることなく、図３に示すように、第２円板体案内通路１１１の下流（右下部）へ転がり通過する。
【００４９】
ところで、第２円板体案内通路１１１の途中には、ブロッカー装置１２０が配設されている。
【００５０】
このブロッカー装置１２０のソレノイド１２５がオン作動しているとき、すなわちメダルセレクタ１００のメダル受入許容時は、円板体排除レバー１２３の下端１２３ｂが第２円板体案内通路１１１内から待避し、それに連動して円板体案内レバー１３０のガイドバー１３０ｂが第２円板体案内通路１１１の側壁の一部を構成するとともに、さらに、円板体案内レバー１３０の位置決めピン１３４がメインプレート１０２に当接するので、このブロッカー装置１２０により第２円板体案内通路１１１の一部が形成されることとなる。
【００５１】
このようにブロッカー装置１２０により第２円板体案内通路１１１の一部が形成されると、第２円板体案内通路１１１の下流へ向けて転がる有効円板体Ｍ０は、図３に示すように、円板体案内レバー１３０のガイドバー１３０ｂに沿ってスムーズに第２円板体案内通路１１１の下流へ導かれ、メインプレート１０２の右側方に形成された円板体排出孔１０２ｄからメダルセレクタ１００の右側方へ排出される。そして、円板体排出孔１０２ｄからメダルセレクタ１００の右側方へ排出された有効円板体Ｍ０は、第１ガイド部材４７ａ（図２を参照）に案内されてホッパーユニット２３に収容される。なお、ブロッカー装置１２０を通過した有効円板体Ｍ０は、隣接する円板体検出装置１４０に検出されて、その枚数がカウントされる。
【００５２】
一方、ブロッカー装置１２０のソレノイド１２５がオフ作動しているとき、すなわちメダルセレクタ１００のメダル受入非許容時は、図６に示すように、円板体排除レバー１２３が引張コイルバネ１２４の付勢力によりメインプレート１０２の表面側へ向けて揺動し、その下端１２３ｂを第２円板体案内通路１１１内へ突出させて第２円板体案内通路１１１の通路を塞ぐとともに、円板体案内レバー１３０が当接ピン１３３を介して円板体排除レバー１２３の動きに連動し、第２円板体案内通路１１１の一側面を解放する。
【００５３】
このようにブロッカー装置１２０の円板体排除レバー１２３が第２円板体案内通路１１１の通路を塞ぐとともに、円板体案内レバー１３０が第２円板体案内通路１１１の一側面を解放すると、第２円板体案内通路１１１の下流へ向けて転がる有効円板体Ｍ０の上部は、円板体排除レバー１２３の下端１２３ｂに当接し、傾斜壁１０３ｄ側へ倒れてその姿勢を変更する。このとき、円板体案内レバー１３０は当接ピン１３３を介して円板体排除レバー１２３の動きに連動し、第２円板体案内通路１１１の一側面を解放するので、有効円板体Ｍ０はスムーズに傾斜壁１０３ｄ側へ倒れ、このため有効円板体Ｍ０が円板体排除レバー１２３と円板体案内レバー１３０との間に挟まれて円板体の詰りを起こすこともない。
【００５４】
このように、有効円板体Ｍ０が傾斜壁１０３ｄ側へ倒れてその姿勢を変更すると、その外径の下端が傾斜転送レール１０３ａから脱落するので、図６に示すように、有効円板体Ｍ０は傾斜転送レール１０３ａに傾斜転送レール１０３ａの側部に沿って形成されたスリット１０２ｃからメダルセレクタ１００の下方へ落下して強制的に排除される。なお、メダルセレクタ１００の下方へ落下した有効円板体Ｍ０は、第２ガイド部材４７ｂ（図２を参照）に案内されてメダル払出口４３から受け皿４４へ払い出される（すなわち、スロットマシン１の外部へ排出される）。
【００５５】
以上のようにして、メダルセレクタ１００により、メダル投入部３８に投入された投入物が正規の遊技メダル（有効円板体）であるか否か選別され、さらに、メダルセレクタ１００のメダル受入非許容時には、メダル投入部３８に投入された正規の遊技メダルも強制的にスロットマシン１の外部へ排出される。
【００５６】
続いて、スロットマシン１の制御システムについて図７を参照しながら説明する。ここで、図７は制御システムの概要を示すブロック図である。この制御システムは、主基板６０と、外部集中端子基板６５と、サブ制御基板７０と、中央表示基板７５とを主体に構成される。主基板６０は、例えば、小役や特別役、リプレイ等の通常役の抽選を行うとともに、スロットマシン１の構成機器を統括的に制御して、スロットマシン１による遊技の制御を行う。ここで、特別役とは、レギュラーボーナス（ＲＢ）と称される役物連続作動装置作動状態となる特別役や、ビッグボーナス（ＢＢ）と称される役物連続作動増加装置作動状態となる特別役のことである。
【００５７】
主基板６０には電源ユニット２５が電気的に接続されており、所定の電力が電源ユニット２５から主基板６０を介して各構成機器へ供給されるようになっている。また、電源ユニット２５にはホッパーユニット２３が電気的に接続されており、電源ユニット２５からホッパーユニット２３へ所定の電力が供給されるとともに、主基板６０から出力されたホッパー駆動信号が電源ユニット２５を介してホッパーユニット２３へ入力され、ホッパーユニット２３が作動するようになっている。さらに、主基板６０にはリールユニット２２が電気的に接続されており、主基板６０から出力されたリール制御信号がリールユニット２２に構成されるリールモータ（図示せず）へ入力されて、各リール２１ａ，２１ｂ，２１ｃの回転・停止制御が行われるようになっている。
【００５８】
外部集中端子基板６５は、主基板６０と電気的に接続されるとともに、遊技場内のホールコンピュータ（図示せず）と電気的に接続されており、主基板６０から送信される所定の遊技情報をホールコンピュータへ送信するようになっている。
【００５９】
サブ制御基板７０は、主基板６０から一方向で情報が送信されるように主基板６０と電気的に接続される。サブ制御基板７０には、各演出用ランプ３１，３６ａ，３６ｂと、上下の各スピーカ３２ａ，３２ｂ，４５と、演出表示装置３３とが電気的に接続されており、主基板６０から送信される演出制御信号を受けて、各演出用ランプ３１，３６ａ，３６ｂと、上下の各スピーカ３２ａ，３２ｂ，４５と、演出表示装置３３とにそれぞれ駆動信号を出力し、主基板６０から送信される演出制御信号（情報）に応じた遊技者の視覚と聴覚に訴える演出の制御を行うようになっている。
【００６０】
中央表示基板７５は、主基板６０と電気的に接続される。中央表示基板７５には、ベットボタン３９ａ，３９ｂ，３９ｃと、スタートレバー４０と、ストップボタン４１ａ，４１ｂ，４１ｃとが電気的に接続されており、これらベットボタン３９ａ，３９ｂ，３９ｃおよびスタートレバー４０並びにストップボタン４１ａ，４１ｂ，４１ｃからそれぞれ出力された各操作信号を主基板６０へ転送するようになっている。
【００６１】
また、中央表示基板７５には、設定ボタン４８と、設定表示素子４９とが電気的に接続されており、設定ボタン４８から出力された設定操作信号を主基板６０へ転送するとともに、主基板６０から出力される設定表示信号に基づいて設定表示素子４９に０から６までの数字を表示させるようになっている。さらに、中央表示基板７５には、貯留枚数表示部５１と、回数表示部５２と、払出枚数表示部５３とが電気的に接続されており、主基板６０から出力される各状態表示信号に基づいて、貯留枚数表示部５１および回数表示部５２並びに払出枚数表示部５３にそれぞれ表示駆動信号を出力するようになっている。
【００６２】
また、中央表示基板７５には、メダルセレクタ１００に構成されるソレノイド１２５と、円板体検出装置１４０とが電気的に接続されており、主基板６０から出力されるソレノイド駆動信号をソレノイド１２５へ転送するとともに、円板体検出装置１４０から出力されたメダル検出信号を主基板６０へ転送するようになっている。
【００６３】
ここで、円板体検出装置１４０に構成される第１円板体検出センサ１４１について、図８を参照しつつさらに詳しく説明する。ここで、図８は円板体検出センサ１４１の概要を示す回路ブロック図である。なお、第２円板体検出センサ１４６については、第１円板体検出センサ１４１と同様の構成であり、図示および説明を省略する。第１円板体検出センサ１４１は、前述したように、検出光を発光する発光部１４２と、発光部１４２から発光された検出光の検出を行う受光部１４３とを有して構成される。
【００６４】
発光部１４２は、図８に示すように、電力の供給により発光可能な発光ダイオード１４２ａから構成される。発光ダイオード１４２ａの一端は、端子１４４ａを介して、中央表示基板７５に配設された電源供給部１５０と電気的に接続される。一方、発光ダイオード１４２ａの他端は、端子１４４ｂおよび抵抗１５１を介して、主基板６０に配設された発光制御部１６０と（中央表示基板７５を介して）電気的に接続される。
【００６５】
受光部１４３は、検出光の入射（受光）により通電可能なフォトトランジスタ１４３ａから構成される。フォトトランジスタ１４３ａの一端は、端子１４４ｃを介して電源供給部１５０と電気的に接続される。一方、フォトトランジスタ１４３ａの他端は、端子１４４ｄを介して、主基板６０に配設されたセンサ入力部１５２と（中央表示基板７５を介して）電気的に接続される。さらに、フォトトランジスタ１４３ａの他端は、端子１４４ｄおよび抵抗１５３を介して接地される。なお、受光部１４３は、フォトトランジスタ１４３ａに限らず、フォトダイオードから構成されるようにしてもよい。
【００６６】
そして、フォトトランジスタ１４３ａに検出光が入射すると、電源供給部１５０からフォトトランジスタ１４３ａに電流が流れ、フォトトランジスタ１４３ａを流れた電流がメダル検出信号（ハイ信号）としてセンサ入力部１５２に出力される。一方、フォトトランジスタ１４３ａに検出光が入射しないときには、フォトトランジスタ１４３ａに電流が流れにくく、電位の低い電流がメダル非検出信号（ロー信号）としてセンサ入力部１５２に出力される。また、図８のような構成にすることにより、発光ダイオード１４２ａの発光に拘わらず、フォトトランジスタ１４３ａに検出光が入射すると、メダル検出信号がセンサ入力部１５２に出力される。
【００６７】
ところで、発光制御部１６０は、所定の駆動信号を出力する信号出力部１６１と、信号出力部１６１から出力された駆動信号に対しパルス幅変調を行い発光指令信号として出力するＰＷＭ（Pulse Width Modulation）回路１６２と、ＰＷＭ回路１６２から出力された発光指令信号に応じて電源供給部１５０から発光部１４２への電力供給をオン・オフさせるスイッチ用トランジスタ１６３とを備えて構成される。信号出力部１６１は、正弦波のような電圧振幅が変化する駆動信号をＰＷＭ回路１６２へ出力する。なお、信号出力部１６１から出力される駆動信号は、矩形波のように電圧振幅が変化してもよく、電圧が経時変化するように構成されていればよい。
【００６８】
ＰＷＭ回路１６２は、図示しない三角波発振器やコンパレータ（比較器）等を有して構成され、信号出力部１６１から入力される駆動信号に対しパルス幅変調を行い、パルス幅変調を行った信号（パルス信号）を発光指令信号としてスイッチ用トランジスタ１６３へ出力するようになっている。なお、駆動信号に対しパルス幅変調を行うことにより、駆動信号の電圧振幅に応じて発光指令信号のパルス幅が変化するようになっている。スイッチ用トランジスタ１６３は、ＮＰＮ型トランジスタであり、スイッチ用トランジスタ１６３のエミッタは接地され、スイッチ用トランジスタ１６３のベースはＰＷＭ回路１６２と電気的に接続されるとともに、スイッチ用トランジスタ１６３のコレクタは発光ダイオード１４２ａの他端と電気的に接続される。
【００６９】
そして、スイッチ用トランジスタ１６３のベースにハイ信号（ベース電流）が流れると、スイッチ用トランジスタ１６３のコレクタに電流が流れるため、電源供給部１５０から発光ダイオード１４２ａに電流が流れて（すなわち、電源供給部１５０から発光部１４２への電力供給がオン状態にされて）発光ダイオード１４２ａが発光する。一方、スイッチ用トランジスタ１６３のベースにロー信号（電位の低い電流）が流れると、スイッチ用トランジスタ１６３のコレクタに電流が殆ど流れないため、電源供給部１５０から発光ダイオード１４２ａへの電力供給は遮断されて（すなわち、電源供給部１５０から発光部１４２への電力供給がオフ状態にされて）発光ダイオード１４２ａが発光しない状態となる。
【００７０】
これにより、ＰＷＭ回路１６２からスイッチ用トランジスタ１６３にハイ信号およびロー信号（すなわち、発光指令信号）が交互連続的に出力されることで、発光制御部１６０のスイッチ用トランジスタ１６３を用いて電源供給部１５０から発光ダイオード１４２ａ（発光部１４２）への通電（電力供給）を交互連続的にオン・オフさせることができる。さらに、ＰＷＭ回路１６２でパルス幅変調が行われた信号が発光指令信号として出力されるため、図９に示すように、スイッチ用トランジスタ１６３により発光部１４２への電力供給をオン・オフさせる周期（すなわち、発光部１４２の発光周期）を連続的に変化させることが可能になる。
【００７１】
また、ＰＷＭ回路１６２が発光指令信号（ハイ信号およびロー信号）を出力する周期は、メダル投入部３８に投入された遊技メダルが第１円板体検出センサ１４１の検出部（発光部１４２および受光部１４３）を通過する時間よりも短くなるように設定されており、第１円板体検出センサ１４１（および第２円板体検出センサ１４６）を通過する遊技メダルを確実に検出できるようになっている。なおかつ、ＰＷＭ回路１６２がロー信号を出力する時間は、第１円板体検出センサ１４１の検出部を遊技メダルが連続的に通過する場合において、隣接する遊技メダルのいずれにも検出光が反射しない時間より短くなるように設定されており、第１円板体検出センサ１４１（および第２円板体検出センサ１４６）の検出部を連続的に通過する遊技メダルを、メダル詰まりと判別することなく連続的に検出できるようになっている。
【００７２】
以上のように構成されるスロットマシン１において、メダル投入部３８に正規の遊技メダルが投入されると、前述したように、メダルセレクタ１００のメダル受入許容時には、正規の遊技メダルがメダルセレクタ１００内に設けられた第１および第２円板体案内通路１１０，１１１を通過してメダルセレクタ１００の右側方へ排出され、第１ガイド部材４７ａに案内されてホッパーユニット２３に収容される。このとき、第１円板体検出センサ１４１の発光部１４２から発せられた検出光は、第２円板体案内通路１１１を通過する遊技メダルで反射して受光部１４３に入射し、受光部１４３からセンサ入力部１５２へメダル検出信号（ハイ信号）が出力される。
【００７３】
またこのとき、発光制御部１６０を構成するＰＷＭ回路１６２からスイッチ用トランジスタ１６３にパルス状の発光指令信号（ハイ信号およびロー信号）が送信されており、発光制御部１６０により電源供給部１５０による発光部１４２（発光ダイオード１４２ａ）への電力供給が交互連続的にオン・オフされている。そのため、遊技メダルが第１円板体検出センサ１４１の検出部を通過する間、主基板６０のセンサ入力部１５２に入力されるメダル検出信号は、図９に示すように、ＰＷＭ回路１６２から送信される発光指令信号と同期状態になる。
【００７４】
そして、ＰＷＭ回路１６２からハイ信号が送信されるとき、すなわち、発光制御部１６０により発光部１４２への電力供給がオン状態にされているときに、受光部１４３が（発光部１４２から発せられた）検出光を検出し、受光部１４３からメダル検出信号が所定の設定検出時間の範囲内で（連続的に）センサ入力部１５２に入力されると、主基板６０は第１円板体検出センサ１４１で遊技メダル（メダル投入部３８からの投入物）が検出されたと認識する。このようにして、第１および第２円板体検出センサ１４１，１４６がこの順にメダル検出信号を出力すると、主基板６０において正規の遊技メダルが第２円板体案内通路１１１（センサの検出部）を通過したと認識されて（遊技メダルの枚数が）カウントされ、スロットマシン１による遊技を行うことが可能になる。
【００７５】
なお、第２円板体検出センサ１４６においても、発光制御部により発光部１４７への電力供給が交互連続的にオン・オフされており、第１円板体検出センサ１４１と同様の処理が行われる。また、第１または第２円板体検出センサ１４１，１４６からのメダル検出信号が所定の設定通過時間を超えて（連続的に）センサ入力部１５２に入力されるときには、主基板６０はメダル詰まりと認識して払出枚数表示部５３等にその旨を報知させる制御を行う。
【００７６】
一方、ＰＷＭ回路１６２からロー信号が送信されるとき、すなわち、発光制御部１６０により発光部１４２への電力供給がオフ状態にされているときに、受光部１４３が検出光（偽発光）を検出すると、主基板６０は、例えば、スタートレバー４０からの操作信号を無効にしたり、リールユニット２２にリール停止信号を出力して各リール２１ａ，２１ｂ，２１ｃの回転を停止させたりする等して遊技の進行を止め、スロットマシン１による遊技を規制する制御を行うとともに、サブ制御基板７０を介して上下のスピーカ３２ａ，３２ｂ，４５に警報作動信号を出力し、音による警報作動を行わせる制御を行う。これにより、不正装置の発光体を点滅させて円板体検出装置１４０を不正に作動させようとしても、図９に示すように、発光部１４２が消灯している間に受光部１４３が不正装置による偽発光を検出してスロットマシン１による遊技を規制することができることから、円板体検出装置１４０を不正に作動させて遊技メダルの投入枚数を不正に増加させるのを防止することができる。さらに、上下のスピーカ３２ａ，３２ｂ，４５が警報作動を行うことで、管理者が不正行為を容易に認識することができる。
【００７７】
また、ＰＷＭ回路１６２でパルス幅変調が行われた信号（パルス信号）が発光指令信号としてスイッチ用トランジスタ１６３へ出力されており、ＰＷＭ回路１６２から出力された発光指令信号に応じて、スイッチ用トランジスタ１６３が発光部１４２への電力供給をオン・オフさせるように構成されている。このようにすれば、図９に示すように、スイッチ用トランジスタ１６３により発光部１４２への電力供給をオン・オフさせる周期（すなわち、発光部１４２の発光周期）を連続的に変化させることが可能になるため、発光部１４２による発光の周期を不正装置による発光の周期とずらすことが可能となり、不正装置による偽発光をより確実に検出することができる。特に、不正装置が発光部１４２を点灯および消灯させる構成に対応してきたときに有効である。
【００７８】
なお、第２円板体検出センサ１４６において、発光制御部により発光部１４７への電力供給がオフ状態にされているときに受光部１４８が検出光（偽発光）を検出しても、主基板６０は（第１円板体検出センサ１４１の場合と）同様の処理を行う。
【００７９】
また、遊技中やリプレイ入賞時等といったメダルセレクタ１００のメダル受入非許容時には、メダル投入部３８に正規の遊技メダルが投入されると、前述したように、この遊技メダルは第２円板体案内通路１１１からメダルセレクタ１００の下方へ排出され、第２ガイド部材４７ｂに案内されてメダル払出口４３から受け皿４４へ払い出される。すなわち、メダルセレクタ１００のメダル受入非許容時には、メダル投入部３８に投入された遊技メダルはスロットマシン１の外部へ強制的に排出される。
【００８０】
このとき、第１および第２円板体検出センサ１４１，１４６の発光部１４２，１４７の発光に拘わらず、受光部１４３，１４８が検出光を検出したときにスロットマシン１による遊技を規制する制御を主基板６０が行うようにしてもよい。このようにすれば、メダル受入非許容時に不正装置が第２円板体案内通路１１１内の円板体検出装置１４０へ挿入されるのを防止することができる。
【００８１】
以上に説明した本発明の実施形態において、達成される主要な効果を整理すれば、下記のようになる。
【００８２】
第１に、発光制御部１６０により発光部１４２，１４７への電力供給がオフ状態にされているときに、受光部１４３，１４８が検出光を検出するとスロットマシン１による遊技を規制する制御を主基板６０が行うため、不正装置の発光体を点滅させて円板体検出装置１４０を不正に作動させようとしても、円板体検出装置１４０の発光部１４２，１４７が消灯している間に、受光部１４３，１４８が不正装置による偽発光を検出してスロットマシン１による遊技を規制することができることから、円板体検出装置１４０を不正に作動させて円板体の投入枚数を不正に増加させるのを防止することができる。さらに、ＰＷＭ回路１６２から出力された発光指令信号に応じてスイッチ用トランジスタ１６３が発光部１４２，１４７への電力供給をオン・オフさせるため、発光部１４２，１４７による発光の周期を不正装置による発光の周期とずらすことが可能となり、不正装置による偽発光をより確実に検出することができる。
【００８３】
第２に、メダルセレクタ１００の第２円板体案内通路１１１に円板体検出装置１４０が設けられることで、有効円板体（正規の遊技メダル）と異なる無効円板体が円板体検出装置１４０に（有効円板体として）検出されるのを防止することができる。
【００８４】
第３に、発光制御部１６０により発光部１４２，１４７への電力供給がオフ状態にされているときに、受光部１４３，１４８が検出光を検出すると上下のスピーカ３２ａ，３２ｂ，４５により警報作動を行わせる制御を主基板６０が行うことで、管理者が不正行為を容易に認識することができる。
【００８５】
なお、上述の実施形態において、円板体検出装置１４０が反射型ビームセンサである第１および第２円板体検出センサ１４１，１４６を有して構成されているが、これに限られるものではなく、透過型ビームセンサを用いるようにしてもよい。このようにしても、上述の実施形態と同様の効果を得ることができる。
【００８６】
また、上述の実施形態において、発光制御部１６０がスイッチ用トランジスタ１６３を用いて発光部１４２，１４７への電力供給をオン・オフさせているが、これに限られるものではなく、電磁スイッチを用いて発光部１４２，１４７への電力供給をオン・オフさせるようにしてもよい。
【００８７】
さらに、上述の実施形態において、メダルセレクタ１００の内部に設けられた第２円板体案内通路１１１に（ブロッカー装置１２０の下流側に）円板体検出装置１４０が設けられているが、これに限られるものではなく、例えば、メダルセレクタ１００を備えず、円板体が投入されるメダル投入部と、メダル投入部に投入された遊技メダルの検出を行う円板体検出装置とを備えた遊技機においても、本発明を適用することができる。
【００８８】
また、上述の実施形態において、上下のスピーカ３２ａ，３２ｂ，４５を用いて音による警報作動を行わせているが、これに限られるものではなく、演出表示装置３３にエラー報知させるようにしてもよく、各演出用ランプ３１，３６ａ，３６ｂを点滅させる等して、警報作動を行わせるようにしてもよい。また、警報手段を別途設けるようにしてもよい。
【００８９】
さらに、上述の実施形態において、主基板６０を本発明に係る遊技規制部として兼用させているが、これに限られるものではなく、このような遊技規制部を別途設けるようにしてもよい。
【００９０】
また、上述の実施形態において、遊技に用いる円板体として遊技メダルが用いられているが、これに限られるものではなく、代用硬貨（トークン）でもよい。
【００９１】
さらに、上述の実施形態において、信号出力部１６１から出力された駆動信号に対しＰＷＭ回路１６２を用いてパルス幅変調を行っているが、これに限られるものではなく、ＦＭ（frequency modulation）変調回路を用いて周波数変調（ＦＭ変調）を行うようにしてもよい。
【図面の簡単な説明】
【００９２】
【図１】本発明に係るスロットマシン（遊技機）を示す正面図である。
【図２】上記スロットマシンにおけるフロントドアを取り外した状態を示す正面図である。
【図３】上記スロットマシンに構成されるメダルセレクタの正面図（部分断面図）である。
【図４】図３中の矢印IVに沿った矢視図である。
【図５】図３中の矢印V−Vに沿った断面図である。
【図６】図３中の矢印VI−VIに沿った断面図である。
【図７】上記スロットマシンにおける制御システムの概要を示すブロック図である。
【図８】円板体検出センサの概要を示す回路ブロック図である。
【図９】発光部の出力状態を示すタイムチャートである。
【符号の説明】
【００９３】
１  スロットマシン（遊技機）
３２ａ  左上部スピーカ（警報手段）
３２ｂ  右上部スピーカ（警報手段）
３８  メダル投入部
４５  下部スピーカ（警報手段）
６０  主基板（遊技規制部）
１００  メダルセレクタ（円板体選別装置）
１１０  第１円板体案内通路
１１１  第２円板体案内通路
１１２  円板体選別手段
１２０  ブロッカー装置
１４０  円板体検出装置
１４１  第１円板体検出センサ
１４２  発光部（１４２ａ  発光ダイオード）
１４３  受光部（１４３ａ  フォトトランジスタ）
１４６  第２円板体検出センサ
１４７  発光部
１４８  受光部
１５０  電源供給部
１６０  発光制御部
１６１  信号出力部
１６２  ＰＷＭ回路（変調器）
１６３  スイッチ用トランジスタ（発光駆動部）
【図１】
2006075384.tif 000003
【図２】
2006075384.tif 000004
【図３】
2006075384.tif 000005
【図４】
2006075384.tif 000006
【図５】
2006075384.tif 000007
【図６】
2006075384.tif 000008
【図７】
2006075384.tif 000009
【図８】
2006075384.tif 000010
【図９】
2006075384.tif 000011